(57)【特許請求の範囲】
【請求項１】
小物収容具であって、
一端が開放された袋状に形成され、外部装置と通信可能な小物を収容する収容部と、前記収容部の開放された前記一端に設けられ、前記収容部の開口部を開閉する開閉部と、を備え、前記外部装置と前記小物との通信に用いられる電波を遮断可能な電波遮断材を用いて構成される収容具本体と、
当該小物収容具において前記電波遮断材よりも内側に配置され、前記収容部に収容された前記小物との間で電波を送信及び／又は受信する内部アンテナと、
前記開閉部を閉じた状態に保持するための留め具と、
を備え、
前記留め具は、
前記収容部に設けられ、前記内部アンテナと導通される導体の第１の留め具と、
前記開閉部を厚み方向に貫通するように設けられ、前記開閉部を閉じたときに前記第１の留め具に留められる導体の第２の留め具と、
を備え、
前記開閉部が前記開口部を閉じた閉状態において前記内部アンテナ、前記第１の留め具及び前記第２の留め具が導通し、前記閉状態において当該小物収容具の外側に露出している前記第２の留め具にユーザが接触することで前記ユーザがアンテナとして機能して前記外部装置と前記小物との間の通信が可能になる、小物収容具。
【請求項２】
請求項１に記載の小物収容具であって、
前記第１の留め具及び前記第２の留め具のうちの一方が凸部を備え、他方が凹部を備え、前記凸部及び前記凹部が嵌合することで前記第１の留め具及び前記第２の留め具が留められる、小物収容具。
【請求項３】
請求項１又は請求項２に記載の小物収容具であって、
スマートキーシステムに使用される携帯機を収容するための小物収容具。
【発明の詳細な説明】
【技術分野】
【０００１】
本開示は、小物収容具に関する。
【背景技術】
【０００２】
特許文献１には、鍵を収容するキーケースが開示されている。
【先行技術文献】
【特許文献】
【０００３】
【特許文献１】特開２０１９−０１３６７３号公報
【発明の概要】
【発明が解決しようとする課題】
【０００４】
ところで、車両に搭載されるスマートキーシステム（登録商標）が知られている。
スマートキーシステムは、車両に搭載された外部装置としての車載器を、携帯機であるスマートキーを用いて無線通信により遠隔操作し、前記車載器による所定動作を許可又は禁止するためのシステムである。所定動作としては、例えば、車両でのドア解錠動作、車両起動動作（エンジン始動動作）などが挙げられる。
【０００５】
スマートキーシステムに用いられるスマートキーを収容するキーケースが考えられる。この種のキーケースにおいては、スマートキーをキーケースから取り出さなくてもスマートキーが発信する電波を外部に送信でき、車載器を遠隔操作可能にすることでユーザの利便性を向上できると考えられる。
【０００６】
また、スマートキーシステムを備える車両においては、無線通信を中継する中継機器を用いたリレーアタックという手法を用いた盗難被害が発生する可能性がある。
リレーアタックとは、スマートキーが家屋の内部に置かれた状況下でも、無線通信を中継する複数の中継機器を用いて、車載器とスマートキーとの無線通信を可能な状態を作り出し、車両のドア解錠動作、車両起動動作などを可能にすることで車両を盗む盗難手法である。このようにして中継機器を用いることで、車載器とスマートキーとの離間距離が許可範囲を超えた場合でも、車両のドア解錠動作、車両起動動作などが可能となり、車両を盗むことができる。したがって、スマートキーを収容するキーケースについては、スマートキーがキーケースに収容されている状態において、このようなリレーアタックを抑制できることが望ましい。
【０００７】
また、スマートキーに限られず、車載器等の外部装置と通信可能な小物、及び、そのような小物を収容する小物収容具全般に対して、小物を小物収容具から取り出さなくても外部装置との通信を許容し、また、前記通信に使用される電波を利用して悪事を働くことを抑制したいというニーズが考えられる。
【０００８】
本開示の一局面は、小物を小物収容具から取り出さなくても外部装置と小物との通信が可能であり、さらに、前記通信に使用される電波を利用して悪事を働くことを抑制できる小物収容具を提供できることが望ましい。
【課題を解決するための手段】
【０００９】
本開示の一態様は、小物収容具であって、収容具本体と、送受信部と、許容部と、を備える。収容具本体は、外部装置と通信可能な小物を収容する収容部を備え、外部装置と小物との間で送受信される電波を遮断する。送受信部は、電波を送信及び／又は受信可能である。許容部は、所定条件が成立している間のみ、送受信部を介した外部装置と小物との間の通信が行われることを許容する。
【００１０】
このような構成によれば、所定条件が成立していれば、小物を小物収容具から取り出さなくても、外部装置と小物とに通信を行わせることができる。また、所定条件が成立していなければ、外部装置と小物との間で通信が行われないため、前記通信に使用される電波を利用して悪事を働くことを抑制できる。
【００１１】
本開示の一態様では、許容部は、収容部に収容された小物から送受信部を介して受信された電波が外部に発信されること、及び／又は、外部装置から受信された電波が収容部に収容された小物に送受信部を介して発信されること、を前記所定条件が成立している間のみ許容してもよい。
【００１２】
このような構成によれば、所定条件が成立していれば、小物を小物収容具から取り出さなくても、小物が発信する電波を外部に発信するか、外部装置から受信された電波を収容部に収容された小物に発信することができる。つまり、小物を小物収容具から取り出さなくても外部装置と小物との通信が可能である。また、所定条件が成立していなければ、外部装置と小物との間で送受信される電波が遮断された状態になる。このため、外部装置と小物との通信に使用される電波を利用して悪事を働くことを抑制できる。
【００１３】
本開示の一態様では、所定条件は、小物収容具における特定の部位が接触されていることであってもよい。
このような構成によれば、ユーザが小物収容具における特定の部位を触ることで、外部装置と小物とに通信を行わせることができる。したがって、ユーザは、簡単に外部装置と小物とに通信を行わせることができる。
【００１４】
本開示の一態様では、許容部は、送受信部と電気的又は電波的に接続され、収容具本体の外部に露出するように設けられた導体の接触部を備えてもよい。所定条件は、接触部が接触されていることであってもよい。
【００１５】
このような構成によれば、接触部がユーザに接触されると、ユーザ（すなわち人体）が電波を送受信するアンテナとして機能する。したがって、ユーザが接触部に触れるという簡単な行為で、小物収容具から小物を取り出すことなく、外部装置と小物との通信が行われることを許容できる。
【００１６】
本開示の一態様では、送受信部は、受信部と、送信部と、を備えていてもよい。受信部は、収容部に収容された小物からの電波又は外部装置からの電波を受信する。送信部は、受信部により受信された小物からの電波を外部に送信し、又は、受信部により受信された外部装置からの電波を収容部に収容された小物に送信する。そして、許容部は、第１接触部と、第２接触部と、を備えてもよい。第１接触部は、受信部に電気的又は電波的に接続され、収容具本体の外部に露出するように設けられた導体である。第２接触部は、送信部に電気的又は電波的に接続され、収容具本体の外部に露出するように設けられ、第１接触部と離間して設けられた導体である。所定条件は、第１接触部と第２接触部とが同時に接触されていることであってもよい。
【００１７】
このような構成によれば、ユーザが第１接触部と第２接触部とに同時に接触すると、ユーザ（すなわち人体）を介して受信部と送信部とが電気的又は電波的に結合し、外部装置と小物とが通信可能になる。したがって、ユーザが第１接触部と第２接触部とに同時に触るという簡単な行為で、小物収容具から小物を取り出すことなく、外部装置と小物との通信が行われることを許容できる。
【００１８】
本開示の一態様では、小物収容具は、収容具本体の外面に設けられた窪み部であって、内部に第１接触部及び第２接触部が設置された窪み部を備えてもよい。そして、窪み部の縁部が、小物収容具から離間する離間方向において、第１接触部及び第２接触部よりも突出していてもよい。
【００１９】
このような構成によれば、第１接触部及び第２接触部は窪み部の内部に設置されるため、ユーザが意図的に第１接触部及び第２接触部に触ろうとしないと第１接触部及び第２接触部に触りにくい。したがって、第１接触部及び第２接触部が平坦面に設置される場合と比較して、ユーザが誤って第１接触部及び第２接触部に接触し、ユーザが意図せず外部装置と小物との通信が行われてしまうことを抑制することができる。
【００２０】
本開示の一態様では、送受信部は、前記受信部と、前記送信部と、を備えていてもよい。そして、許容部は、収容具本体の外部に露出するように設けられた操作部であって、受信部と送信部とを導通させるための操作部を備えてもよい。所定条件は、操作部が操作されていること、又は、操作部が所定状態に切り替えられていることであってもよい。
【００２１】
このような構成によれば、ユーザがボタンやスイッチ等の操作部を操作すると、受信部と送信部とが導通し、外部装置と小物との通信が行われる。したがって、ユーザが操作部を操作するという簡単な行為で、小物収容具から小物を取り出すことなく、外部装置と小物との通信が行われることを許容できる。
【００２２】
本開示の一態様では、小物収容具は、スマートキーシステムに使用される携帯機を収容してもよい。
このような構成によれば、所定条件が成立していれば、携帯機を小物収容具（すなわちキーケース）から取り出さなくても、スマートキーシステムを利用できる。また、所定条件が成立していなければ、携帯機と、車両に搭載された車載器と、の通信が行われないため、リレーアタックなどが行われることを抑制できる。
【００２３】
本開示の別の態様は、小物収容具であって、収容具本体と、内部アンテナと、留め具と、を備える。収容具本体は、収容部と開閉部とを備える。収容部は、一端が開放された袋状に形成され、外部装置と通信可能な小物を収容する。開閉部は、収容部の開放された一端に設けられ、収容部の開口部を開閉する。収容具本体は、外部装置と小物との通信に用いられる電波を遮断可能な電波遮断材を用いて構成される。内部アンテナは、当該小物収容具において電波遮断材よりも内側に配置され、収容部に収容された小物との間で電波を送信及び／又は受信する。留め具は、開閉部を閉じた状態に保持する。また、留め具は、第１の留め具と、第２の留め具と、を備える。第１の留め具は、収容部に設けられ、内部アンテナと導通される導体である。第２の留め具は、開閉部を厚み方向に貫通するように設けられ、開閉部を閉じたときに第１の留め具に留められる導体である。開閉部が開口部を閉じた閉状態において内部アンテナ、第１の留め具及び第２の留め具が導通する。閉状態において当該小物収容具の外側に露出している第２の留め具にユーザが接触することでユーザがアンテナとして機能して外部装置と小物との間の通信が可能になる。
【００２４】
このような構成によれば、小物を小物収容具から取り出さなくても外部装置と小物との通信が可能である。また、ユーザが第２の留め具に接触しなければ外部装置と小物との間で通信が行われないため、前記通信に使用される電波を利用して悪事を働くことを抑制できる。
【００２５】
なお、本明細書でいう導通とは、電気的な結合又は接続と、電波的な結合又は接続と、の双方を含む概念である。
本開示の一態様では、第１の留め具及び第２の留め具のうちの一方が凸部を備え、他方が凹部を備えていてもよい。そして、凸部及び凹部が嵌合することで第１の留め具及び第２の留め具が留められてもよい。
【００２６】
このような構成によれば、第１の留め具及び第２の留め具がしっかり留められる。ひいては、閉状態において、第１の留め具、第２の留め具及び内部アンテナを良好に導通させることができる。
【図面の簡単な説明】
【００２７】
【図１】図１は開閉部が開いた状態の第１実施形態のキーケースを示す図である。
【図２】図２は開閉部が閉じた状態の第１実施形態のキーケースを示す図である。
【図３】図３は第１実施形態のキーケースを、図１に示す方向Ａから見たときの図である。
【図４】図４はユーザが接触部に接触している状態を示す図である。
【図５】図５は第２実施形態のキーケースの背面図である。
【図６】図６はユーザが２つの接触部に同時に接触している状態を示す図である。
【図７】図７は第３実施形態のキーケースの上面斜視図である。
【図８】図８は第３実施形態のキーケースの下面斜視図である。
【図９】図９は図７のIX−IX断面図である。
【図１０】図１０は開閉部が開いた状態の第４実施形態のキーケースを示す図である。
【図１１】図１１は開閉部が閉じた状態の第４実施形態のキーケースを示す図である。
【図１２】図１２は図１０のXII−XII断面図である。
【図１３】図１３は図１１の開閉部及び留め具のXIII−XIII断面図である。
【発明を実施するための形態】
【００２８】
以下、図面を参照しながら、本開示を実施するための形態を説明する。
［１．第１実施形態］
［１−１．構成］
図１〜図３に示すキーケース１は、スマートキーシステムに使用されるスマートキー２（図３参照）を収容するためのキーケースである。キーケース１は、収容具本体１１と、内部アンテナ１２と、許容部１３と、を備える。
＜収容具本体＞
収容具本体１１は、収容部１１１と、開閉部１１２と、を備える。
【００２９】
収容部１１１は、一端が開放された袋状に形成される。収容部１１１には、電波を発信可能なスマートキー２が収容される。
図１及び図３に示すように、収容部１１１の内部は、区画部１１５（本実施形態では電波を通過させる通常の布）により２つの空間である第１収容空間１１１ｂと第２収容空間１１１ｃとに区画されている。
【００３０】
第１収容空間１１１ｂは、キーケース１の正面側に位置する。第２収容空間１１１ｃは、キーケース１の背面側に位置する。ここで、キーケース１の正面は、図１において手前側の面、図３においては上側の面である。一方、キーケース１の背面は、図１において奥側の面、図３においては下側の面である。図３に示すように、スマートキー２は、第２収容空間１１１ｃに収容される。
【００３１】
図１及び図２に示す開閉部１１２は、収容部１１１の開放された一端に設けられ、収容部１１１の図１に示す開口部１１１ａを開閉する。収容部１１１及び開閉部１１２にはマジックテープ（登録商標）などの面ファスナー１１３が設けられており、面ファスナー１１３によって開閉部１１２が閉じた状態（図２参照）が維持される。
【００３２】
収容部１１１及び開閉部１１２（換言すれば、収容具本体１１）は、収容部１１１に収容されたスマートキー２からの電波がキーケース１の外部に漏れ出るのを遮断する。具体的には、収容部１１１及び開閉部１１２は、電波を遮断可能な電波遮断材を用いて構成されている。すなわち、収容具本体１１は、図３に示すように、電波遮断材としての電磁波シールド布１１４ａの外側に、布１１４ｂが重ねられた２重構造として構成されている。
【００３３】
なお、布１１４ｂに代えて皮やシリコン等の他の素材で電磁波シールド布１１４ａを覆ってもよい。また、電波遮断材は、電磁波シールド布１１４ａ以外の他の電波遮断材であってもよい。
【００３４】
なお、電磁波シールド布１１４ａは、内部に収容されたスマートキー２からの電波を完全に遮断しなくてもよく、前記電波を部分的に遮断してもよい。具体的には、収容具本体１１は、スマートキーシステムの通信で用いられる周波数帯のうちＨｉ  Ｆｒｅｑｕｅｎｃｙ帯（例えば３００〜３２０ＭＨｚ）の電波を遮断できればよい。一方、収容具本体１１は、Ｌｏｗ  Ｆｒｅｑｕｅｎｃｙ帯（例えば１２５〜１３０ＫＨｚ）の電波は遮断できなくてもよい。ここで、Ｈｉ  Ｆｒｅｑｕｅｎｃｙ帯は、スマートキー２から車載器に送信される電波の周波数帯であり、Ｌｏｗ  Ｆｒｅｑｕｅｎｃｙ帯は、車載器からスマートキー２に送信される電波の周波数帯である。
＜受信部＞
内部アンテナ１２は、収容部１１１に収容されたスマートキー２からの電波を受信するためのアンテナであり、本実施形態では銅線である。
【００３５】
内部アンテナ１２は、キーケース１において、電磁波シールド布１１４ａよりも内側に配置されている。具体的には、内部アンテナ１２は、図３に示すように、前述した第１収容空間１１１ｂに収容されている。つまり、電磁波シールド布１１４ａよりも内側において、内部アンテナ１２とスマートキー２とは電波を通過可能な区画部１１５を挟んで収容されている。
【００３６】
内部アンテナ１２は、キーケース１の外部にスマートキー２の電波を放出可能な程度に、スマートキー２からの電波を受信する。
＜許容部＞
許容部１３は、内部アンテナ１２により受信されたスマートキー２からの電波がキーケース１の外部に発信されることを所定条件が成立している間のみ許容する。具体的には、許容部１３は、収容具本体１１の外部（本実施形態ではキーケース１の正面側）に露出するように設けられた導体の部品（以下、接触部１３）である。本実施形態では、接触部１３は、金属製の板である。
【００３７】
接触部１３は、内部アンテナ１２と電気的又は電波的に接続されている。内部アンテナ１２がスマートキー２からの電波を受信すると、受信した電波に対応する電流が、内部アンテナ１２、そして接触部１３へと流れる。ただし、接触部１３からは電流に対応する電波がほぼ外部に放出されない。
【００３８】
本実施形態では、スマートキー２が収容部１１１に収容された状態で、図４に示すようにユーザが接触部１３に触ると、内部アンテナ１２で受信された電波に対応する電流が、内部アンテナ１２、接触部１３、そして、ユーザの体へと流れる。そして、電流に対応した電波がユーザを介して外部に放出される。つまり、ユーザが接触部１３に接触すると、ユーザの体がアンテナとして機能し、スマートキー２の電波が車載器に向けて送信される。
【００３９】
［１−２．効果］
以上詳述した第１実施形態によれば、以下の効果が得られる。
（１ａ）本実施形態のキーケース１は、内部アンテナ１２により受信されたスマートキー２からの電波が外部に発信されることを所定条件が成立している間のみ許容する接触部１３を備える。
【００４０】
したがって、所定条件が成立していれば、スマートキー２をキーケース１から取り出さなくてもスマートキー２が発信する電波を外部に発信できる。また、所定条件が成立していなければ、電波が外部に発信されないため、スマートキー２からの電波を利用してリレーアタックが行われることを抑制できる。
【００４１】
（１ｂ）本実施形態では、前記所定条件は、キーケース１における特定の部位（接触部１３）が接触されていることである。したがって、ユーザがキーケース１における特定の部位を触るだけで、スマートキー２の電波がキーケース１の外部に発信される。したがって、ユーザは、スマートキー２の電波を簡単にキーケース１の外部に発信させることができる。
【００４２】
（１ｃ）本実施形態では、キーケース１は、内部アンテナ１２と電気的又は電波的に接続され、収容具本体１１の外部に露出するように設けられた導体の接触部１３を備える。そして、前記所定条件は、接触部１３が接触されていることである。
【００４３】
接触部１３がユーザに接触されると、ユーザ（すなわち人体）が電波を発信するアンテナとして機能する。したがって、ユーザが接触部１３に触れるという簡単な行為で、キーケース１からスマートキー２を取り出すことなく、スマートキー２からの電波を外部に発信させることができる。
【００４４】
なお、本実施形態では、スマートキー２と通信を行う車載器が外部装置に相当し、スマートキー２が小物及び携帯機に相当し、キーケース１が小物収容具に相当し、内部アンテナ１２が送受信部に相当し、接触部１３が小物収容具における特定の部位に相当する。
【００４５】
［２．第２実施形態］
［２−１．第１実施形態との相違点］
第２実施形態は、基本的な構成は第１実施形態と同様であるため、共通する構成については説明を省略し、相違点を中心に説明する。なお、第１実施形態と同じ符号は、同一の構成を示すものであって、先行する説明を参照する。
【００４６】
前述した第１実施形態のキーケース１では、ユーザが接触部１３に接触するとスマートキー２の電波が外部に放出される。これに対し、図５に示す第２実施形態のキーケース４では、外部に露出した２つの接触部４２１，４２２をユーザが同時に接触するとスマートキー２の電波が外部に放出される点で、第１実施形態と相違する。
【００４７】
第２実施形態のキーケース４は、第１実施形態と同様の収容具本体１１及び内部アンテナ１２と、外部アンテナ４１と、許容部４２と、を備える。つまり、第２実施形態のキーケース４は、前述した許容部１３に代えて外部アンテナ４１及び許容部４２を備える点で、第１実施形態のキーケース１と相違する。
【００４８】
外部アンテナ４１は、内部アンテナ１２により受信されたスマートキー２からの電波を外部に送信するためのアンテナである。
許容部４２は、２つの接触部である第１接触部４２１及び第２接触部４２２を備える。
【００４９】
第１接触部４２１は、内部アンテナ１２に電気的又は電波的に接続された導体の部品であり、収容具本体１１の外部に露出するように設けられる。
第２接触部４２２は、外部アンテナ４１に銅線４２３を介して電気的又は電波的に接続された導体の部品であり、収容具本体１１の外部に露出するように設けられる。
【００５０】
本実施形態では、第１接触部４２１及び第２接触部４２２は共に金属製の板であり、共にキーケース４の背面側に露出するように設けられている。また、これに伴い、内部アンテナ１２も、キーケース４の背面側に位置する第２収容空間１１１ｃに収容される。一方、スマートキー２は、キーケース４の正面側に位置する第１収容空間１１１ｂに収容される。
【００５１】
第１接触部４２１及び第２接触部４２２は、互いに離間して配置される。具体的には、第１接触部４２１及び第２接触部４２２は、互いに電気的及び電波的に結合しない距離間隔Ｌ１をおいて配置されている。
【００５２】
キーケース４においては、図６に示すように、ユーザが２つの接触部４２１，４２２を同時に接触すると、ユーザの体を通じて第１接触部４２１及び第２接触部４２２、ひいては、内部アンテナ１２及び外部アンテナ４１が導通される。このため、スマートキー２が収容部１１１に収容されている状態でユーザが２つの接触部４２１，４２２に同時に接触すると、内部アンテナ１２が受信したスマートキー２の電波に対応する電流が内部アンテナ１２から外部アンテナ４１へと流れる。そして、電流に対応した電波が外部アンテナ４１から送信される。これにより、スマートキー２の電波が外部アンテナ４１を介して車載器に送信される。
【００５３】
［２−２．効果］
以上詳述した第２実施形態によれば、前述した第１実施形態の効果（１ａ）〜（１ｃ）に加え、以下の効果が得られる。
【００５４】
（２ａ）本実施形態では、許容部４２は、２つの接触部４２１，４２２を備える。そして、ユーザが、第１接触部４２１及び第２接触部４２２に同時に接触すると、スマートキー２からの電波がキーケース４の外部に発信される。つまり、第１接触部４２１と第２接触部４２２とが同時に接触されているという所定条件が成立している間のみ、スマートキー２の電波が外部に発信されることが許容される。
【００５５】
したがって、キーケース４からスマートキー２を取り出すことなく、ユーザが第１接触部４２１及び第２接触部４２２に同時に触るという簡単な行為で、スマートキー２からの電波をキーケース４の外部に発信させることができる。
【００５６】
また仮に、第１実施形態のように、ユーザが１つの接触部１３に触るだけでスマートキー２の電波が外部に発信される場合、ユーザが誤って前記１つの接触部１３に触ると、スマートキー２からの電波が発信されてしまう。これに対して、第２実施形態のキーケース４では、ユーザが第１接触部４２１及び第２接触部４２２のうちの片方でなく、両方を触って初めてスマートキー２からの電波がキーケース４の外部に発信される。よって、ユーザが１つの接触部１３に触るだけでスマートキー２の電波が外部に発信される場合と比較して、ユーザが意図せずスマートキー２からの電波が外部に発信されてしまうことを抑制することができる。
【００５７】
なお、本実施形態では、キーケース４が小物収容具に相当し、内部アンテナ１２及び外部アンテナ４１が送受信部に相当し、内部アンテナ１２が受信部に相当し、外部アンテナ４１が送信部に相当し、接触部４２１，４２２が小物収容具における特定の部位に相当する。
【００５８】
［３．第３実施形態］
［３−１．第２実施形態との相違点］
第３実施形態は、基本的な構成は第２実施形態と同様であるため、共通する構成については説明を省略し、相違点を中心に説明する。なお、第１実施形態と同じ符号は、同一の構成を示すものであって、先行する説明を参照する。
【００５９】
図７〜図９に示す第３実施形態のキーケース５では、２つの接触部５２１，５２２を、キーケース５の外面に設けられた窪み部５２３ｃの内部に設置し、ユーザが意図せず２つの接触部５２１，５２２に接触しにくくした点で、第２実施形態と相違する。
【００６０】
第３実施形態のキーケース５は、第２実施形態と同様の収容具本体１１及び内部アンテナ１２と、外部アンテナ５１と、許容部５２と、を備える。つまり、第３実施形態のキーケース５は、前述した外部アンテナ４１及び許容部４２に代えて外部アンテナ５１及び許容部５２を備える点で、第２実施形態のキーケース４と相違する。
【００６１】
図８に示す外部アンテナ５１は、内部アンテナ１２により受信されたスマートキー２からの電波を外部に送信するためのアンテナである。外部アンテナ５１は、キーケース５の正面側に露出するように設けられている。
【００６２】
一方、図７及び図９に示す許容部５２は、２つの接触部である第１接触部５２１及び第２接触部５２２と、枠部材５２３と、を備える。許容部５２は、図７に示すように、キーケース５の背面側に露出するように設けられている。
【００６３】
２つの接触部５２１，５２２は、基本的には、第２実施形態の２つの接触部４２１，４２２と同様の機能を果たす。具体的には、第１接触部５２１は、内部アンテナ１２に電気的又は電波的に接続された導体の部品であり、収容具本体１１の外部に露出するように設けられる。
【００６４】
第２接触部５２２は、外部アンテナ５１に銅線５２４を介して電気的又は電波的に接続された導体の部品であり、収容具本体１１の外部に露出するように設けられる。なお、銅線５２４は、収容部１１１の内部において、キーケース５の正面から背面に回り込むように配線されている。
【００６５】
ただし、第３実施形態の接触部５２１，５２２は、金属製の板ではなく、金属製の点状の小型の突起物（すなわち金属製のボタン）である。
枠部材５２３は、２つの接触部５２１，５２２を囲む小型の部材である。枠部材５２３は、樹脂等の不導体素材で構成されている。枠部材５２３は、底壁部５２３ａと側壁部５２３ｂとを備える。
【００６６】
底壁部５２３ａは、略四角形状の平板状で、収容部１１１の外面である背面に設置されている。底壁部５２３ａの中央部には、２つの接触部５２１，５２２を外部に露出させるための２つの貫通孔が設けられている。２つの貫通孔、すなわち、２つの接触部５２１，５２２は、２つの接触部５２１，５２２が互いに電気的及び電波的に結合しない距離間隔Ｌ２を置いて設置されている。また、２つの接触部５２１，５２２は、キーケース５から離間する離間方向Ｂ（図９参照）において、互いに同程度突出している。
【００６７】
側壁部５２３ｂは、底壁部５２３ａの周縁部において、離間方向Ｂに隆起するように形成されている。側壁部５２３ｂは、離間方向Ｂにおいて２つの接触部５２１，５２２よりも突出している。側壁部５２３ｂと２つの接触部５２１，５２２との離間方向Ｂにおける高低差Ｌ３は、ユーザが指先で２つの接触部５２１，５２２に接触できる程度の高低差に設定される。このように、キーケース５においては、枠部材５２３の内部に形成された窪み部５２３ｃの中に２つの接触部５２１，５２２が設置される。
【００６８】
キーケース５においては、ユーザが２つの接触部５２１，５２２を同時に接触すると、第２実施形態と同様に、ユーザの体を通じて第１接触部５２１及び第２接触部５２２、ひいては、内部アンテナ１２及び外部アンテナ５１が導通される。そして、スマートキー２の電波が外部アンテナ５１を介して車載器に送信される。
【００６９】
［３−２．効果］
以上詳述した第３実施形態によれば、第１実施形態の効果（１ａ）〜（１ｃ）及び第２実施形態の効果（２ａ）に加え、以下の効果が得られる。
【００７０】
（３ａ）本実施形態では、キーケース５は、収容具本体１１の外面に設けられた枠部材５２３により形成された窪み部５２３ｃであって、内部に第１接触部５２１及び第２接触部５２２が設置された窪み部５２３ｃを備える。そして、窪み部５２３ｃの縁部（すなわち側壁部５２３ｂ）が、離間方向Ｂにおいて、第１接触部５２１及び第２接触部５２２よりも突出している。
【００７１】
したがって、２つの接触部５２１，５２２が窪み部５２３ｃの内部に設置されるため、ユーザが２つの接触部５２１，５２２に意図的に触ろうとしないと２つの接触部５２１，５２２に触りにくい。したがって、２つの接触部５２１，５２２が窪み部５２３ｃの内部ではなく、ただ単に平坦面に設置される場合と比較して、ユーザが誤って２つの接触部５２１，５２２に接触し、ユーザが意図せずスマートキー２からの電波がキーケース５の外部に発信されてしまうことを抑制することができる。
【００７２】
なお、本実施形態では、キーケース５が小物収容具に相当し、内部アンテナ１２及び外部アンテナ５１が送受信部に相当し、内部アンテナ１２が受信部に相当し、外部アンテナ５１が送信部に相当し、接触部５２１，５２２が小物収容具における特定の部位に相当する。
【００７３】
［４．第４実施形態］
［４−１．構成］
第４実施形態は、基本的な構成は第１実施形態と同様である。以下、第４実施形態のキーケース６について図１０〜図１３を用いて説明する。
【００７４】
キーケース６は、収容具本体６１と、内部アンテナ６２と、留め具６３と、を備える。
＜収容具本体＞
収容具本体６１は、収容部６１１と、開閉部６１２と、を備える。
【００７５】
収容部６１１は、一端が開放された袋状に形成される。収容部６１１には、電波を発信可能なスマートキー（図示省略）が収容される。
収容部６１１は、当該収容部６１１における一方の面を形成する第１シート部６１１ａと、当該収容部６１１における前記一方の面と反対側の面を形成する第２シート部６１１ｂと、を備える。本実施形態では、第１シート部６１１ａは、図１０及び図１１における手前側の面である正面を形成する。また、第２シート部６１１ｂは、図１０及び図１１における奥側の面（すなわち死角になっている面）である背面を形成する。第１シート部６１１ａと第２シート部６１１ｂとは、互いに同形状であり、略矩形状である。収容部６１１は、第１シート部６１１ａの３辺と第２シート部６１１ｂの３辺とを連結された袋状に形成される。なお、第１シート部６１１ａは、図１１に示すように、開閉部６１２を閉じたときに開閉部６１２と接触するシート部である。
【００７６】
収容部６１１は、図１２に示すように３重構造を有する。具体的には、３重構造を形成する３層のうちキーケース６の最も内側に位置する第１層６１１ｃは、所定の内装材（本実施形態ではビニール）で構成される。一方、真ん中に位置する第２層６１１ｄは、電波遮断材で構成される。そして、キーケース６の最も外側に位置する第３層６１１ｅは、所定の外装材（本実施形態ではビニール）で構成される。なお、内装材及び外装材は、ビニールに限られず、布、皮、シリコン等のその他の材料であってもよい。一方、電波遮断材は、第１実施形態と同様、例えば電磁波シールド布等である。
【００７７】
図１２に示すように、第１シート部６１１ａには、第１シート部６１１ａの厚み方向に貫通した第１の貫通孔６１１ｆが形成されている。第１の貫通孔６１１ｆには後述する第１の留め具６４が嵌め込まれる。第１の貫通孔６１１ｆが形成される位置は特に限定されないが、本実施形態では、第１の貫通孔６１１ｆは第１シート部６１１ａの幅方向Ｘ（図１０及び図１１参照）の中央部に形成される。
【００７８】
なお、第１層６１１ｃ、第２層６１１ｄ及び第３層６１１ｅの第１の貫通孔６１１ｆ側の端部には、絶縁部材６６が設けられる。第１の留め具６４はプラスの電気に帯電し、第２層６１１ｄの電波遮断材はマイナスの電気に帯電し得る。絶縁部材６６は、第１の留め具６４と第２層６１１ｄの電波遮断材とが直に接触し、ショートすることを防ぐ目的で設けられる。なお、絶縁部材６６の素材は特に限定されないが、例えばポリカーボネート樹脂製であってもよい。
【００７９】
一方、開閉部６１２は、収容部６１１の開放された一端に設けられ、収容部６１１の開口部６１１ｇを開閉する。
開閉部６１２は、図１３に示すように、２重構造を有する。ここで、図１３は、図１１に示す開閉部６１２が閉じた状態（以下、閉状態）における開閉部６１２及び留め具６３の断面図である。２重構造を形成し、閉状態において収容部６１１側に位置する第１層６１２ａは、所定の内装材（本実施形態ではビニール）で構成される。また、閉状態において収容部６１１と反対側に位置する第２層６１２ｂは、所定の外装材（本実施形態ではビニール）で構成される。なお、内装材及び外装材は、ビニールに限られず、布、皮、シリコン等のその他の材料であってもよい。
【００８０】
開閉部６１２は、開閉部６１２の厚み方向に貫通した第２の貫通孔６１２ｃが形成されている。
第２の貫通孔６１２ｃは、閉状態において収容部６１１の第１の貫通孔６１１ｆと重なる位置に形成される。第２の貫通孔６１２ｃには後述する第２の留め具６５が嵌め込まれる。
＜内部アンテナ＞
図１０及び図１２に示す内部アンテナ６２は、キーケース６において電波遮断材で構成される第２層６１１ｄよりも内側に配置される。内部アンテナ６２は、収容部６１１に収容された図示省略するスマートキーとの間で電波を送信及び／又は受信する。本実施形態の内部アンテナ６２は、第１実施形態と同様、銅線である。
＜留め具＞
留め具６３は、開閉部６１２が閉じた状態に保持するための部品である。留め具６３は、第１の留め具６４と第２の留め具６５とを備える。第１の留め具６４及び第２の留め具６５は、共に、導体（本実施形態では金属製）の部品である。
【００８１】
第１の留め具６４は、収容部６１１に設けられる。具体的には、図１２に示すように、第１の留め具６４は、収容部６１１の第１の貫通孔６１１ｆに嵌め込まれる。第１の留め具６４は、第１の貫通孔６１１ｆに嵌め込まれた状態において、収容部６１１の第１層６１１ｃ及び第３層６１１ｅの表面（すなわち収容部６１１の表面及び裏面）に沿うように延在する裾部６４ａを備える。第１層６１１ｃ側の裾部６４ａ及び第３層６１１ｅ側の裾部６４ａが収容部６１１を挟持することで第１の留め具６４が収容部６１１に固定される。
【００８２】
第１の留め具６４は、内部アンテナ６２と導通される。特に、第１の留め具６４は、内部アンテナ６２と直接接続されている。
また、第１の留め具６４は、キーケース６の正面側に突出した凸部６４ｂを備える。凸部６４ｂは、第１の貫通孔６１１ｆの位置において、第１の貫通孔６１１ｆの軸方向に平行に突出している。
【００８３】
一方、第２の留め具６５は、開閉部６１２を厚み方向に貫通するように設けられる。具体的には、図１３に示すように、第２の留め具６５は、開閉部６１２の第２の貫通孔６１２ｃに嵌め込まれる。第２の留め具６５は、開閉部６１２を閉じたときに第１の留め具６４に留められる。これにより、閉状態が維持される。なお、図１０及び図１１から見て取れるように、第２の留め具６５及び第１の留め具６４は、平面視においてユーザの指の腹程度の大きさである。
【００８４】
図１３に示すように、第２の留め具６５は、第２の貫通孔６１２ｃに嵌め込まれた状態において、開閉部６１２の第１層６１２ａ及び第２層６１２ｂの表面（すなわち開閉部６１２の表面及び裏面）に沿うように延在する裾部６５ａを備える。第１層６１２ａ側の裾部６５ａ及び第２層６１２ｂ側の裾部６５ａが開閉部６１２を挟持することで第２の留め具６５が開閉部６１２に固定される。
【００８５】
また、第２の留め具６５は、閉状態において収容部６１１と接触しない側（図１１における手前側）に凹んだ凹部６５ｂ（図１３参照）を備える。凹部６５ｂは、第２の貫通孔６１２ｃの位置において、第２の貫通孔６１２ｃの軸方向に凹んでいる。図１２に示す第１の留め具６４の凸部６４ｂと図１３に示す第２の留め具６５の凹部６５ｂが嵌合することで第１の留め具６４及び第２の留め具６５が留められる。
【００８６】
本実施形態のキーケース６においては、前述のとおり第１の留め具６４は内部アンテナ６２と導通される。また、閉状態において、共に導体である第１の留め具６４と第２の留め具６５とが接触し、導通する。その結果、閉状態において内部アンテナ６２、第１の留め具６４及び第２の留め具６５が導通する。そして、第１実施形態のように、閉状態において当該キーケース６の外側に露出している第２の留め具６５にユーザの指が接触することで、ユーザがアンテナとして機能する。換言すれば、ユーザは、キーケース６の外側に位置し、収容部６１１内のスマートキーからの電波を外部に送信、及び／又は、車載器からの電波を受信するアンテナとして機能する。そして、ユーザを介して、キーケース６内のスマートキーとキーケース６外の車載器とが通信可能になる。
【００８７】
［４−２．効果］
以上詳述した第４実施形態によれば、第１実施形態の効果（１ａ）〜（１ｃ）及び第２実施形態の効果（２ａ）に加え、以下の効果が得られる。
【００８８】
（４ａ）本実施形態では、ユーザが第２の留め具６５に接触することで、スマートキーをキーケース６から取り出さなくても車載器とスマートキーとの通信が可能である。また、ユーザが第２の留め具６５に接触しなければ車載器とスマートキーとの間で通信が行われないため、前記通信に使用される電波を利用して悪事を働くことを抑制できる。
【００８９】
（４ｂ）本実施形態では、開閉部６１２を閉じた状態に維持するための留め具６３に、キーケース６の内部と外部とを導通させる部品としての役割を担わせる。すなわち、一の部品に留め具としての機能と導通させる部品としての機能との２つの機能を担わせる。よって、留め具６３とは別に導通させる部品を設けなくてもよい。よって、留め具６３とは別に導通させる部品を設ける構成と比較して、キーケース６の製造コストを低減し、また、キーケース６の見栄えをシンプルにできる。
【００９０】
（４ｃ）本実施形態では、第１の留め具６４が凸部６４ｂを備え、第２の留め具６５が凹部６５ｂを備える。そして、凸部６４ｂ及び凹部６５ｂが嵌合することで第１の留め具６４及び第２の留め具６５が留められる。
【００９１】
したがって、第１の留め具６４及び第２の留め具６５がしっかり留められる。ひいては、閉状態において、第１の留め具６４、第２の留め具６５及び内部アンテナ６２を良好に導通させることができる。その結果、ユーザが第２の留め具６５に接触した状態において車載器とスマートキーとの良好な通信状態を実現できる。
【００９２】
なお、本実施形態では、キーケース６が小物収容具に相当する。
［５．他の実施形態］
以上、本開示を実施するための形態について説明したが、本開示は前述の実施形態に限定されることなく、種々変形して実施することができる。
【００９３】
（１）上記第１実施形態では、接触部１３が接触されているという所定条件が成立している間のみ、収容部１１１に収容されたスマートキー２からの電波がキーケース１の外部に発信される構成を例示したが、本開示の適用例はこれに限られない。
【００９４】
例えば、所定条件が成立している間のみ、車載器等の外部装置から受信された電波が収容部１１１に収容された小物に発信される構成であってもよい。
具体的には例えば、上記第１実施形態において、ユーザが接触部１３に触ることで、ユーザの体が外部装置からの電波を受信するアンテナとして機能し、ユーザの体を介して受信された電波が、内部アンテナ１２を介して収容部１１１内の小物に発信されてもよい。
【００９５】
また例えば、上記第２及び第３実施形態において、外部アンテナ４１，５１を、外部装置からの電波を受信する受信部として機能させ、内部アンテナ１２を、外部アンテナ４１，５１により受信された電波を収容部１１１内の小物に向けて発信する送信部として機能させる。そして、ユーザが２つの接触部４２１，４２２，５２１，５２２を同時に接触すると、内部アンテナ１２と外部アンテナ４１，５１とが導通され、外部アンテナ４１，５１により受信された外部装置からの電波が、内部アンテナ１２を介して収容部１１１内の小物に発信されてもよい。
【００９６】
このような構成によれば、所定条件が成立していれば、小物を小物収容具から取り出さなくても外部装置からの電波を小物に発信できる。また、所定条件が成立していなければ、外部装置と小物との間で送受信される電波が遮断された状態になる。よって、外部装置と小物との通信に使用される電波を利用して悪事を働くことを抑制できる。
【００９７】
（２）上記第２実施形態では、２つの接触部４２１，４２２に同時に接触すると内部アンテナ１２と外部アンテナ４１とが導通するが、例えば次のように受信部と送信部とを導通させてもよい。なお、ここでいう受信部は、収容部に収容された小物からの電波又は外部装置からの電波を受信する構成である。また、ここでいう送信部は、受信部により受信された小物からの電波を外部に送信、又は、受信部により受信された外部装置からの電波を収容部に収容された小物に送信する構成である。
【００９８】
すなわち、収容具本体１１の外部に露出するようにボタンやスイッチ等の操作部を設ける。そして、前記操作部を操作することで、受信部と送信部とが導通している状態である導通状態と受信部と送信部とが導通していない状態である非導通状態とがメカニカルに切り替えられてもよい。この場合において、操作部がボタンである場合など、操作部が操作されている間のみ導通状態に切り替わる構成としてもよい。つまり、小物からの電波を外部に発信するための所定条件、又は、外部装置からの電波を小物に発信するための所定条件は、ボタン等の操作部が操作されていることであってもよい。
【００９９】
また例えば、操作部が、導通状態と非導通状態とを切り替えるスイッチである場合において、操作部がオン状態に切り替えられると導通状態が実現され、操作部がオフ状態に切り替えられると非導通状態が実現される構成としてもよい。つまり、前記所定条件は、操作部が所定状態（オン状態）に切り替えられていることであってもよい。
【０１００】
このような構成によれば、ユーザがボタンやスイッチ等の操作部を操作すると、受信部と送信部とが導通し、外部装置と小物との通信が行われる。したがって、ユーザが操作部を操作するという簡単な行為で、小物収容具から小物を取り出すことなく、外部装置と小物との通信が行われることを許容できる。
【０１０１】
（３）上記各実施形態では、所定条件は、キーケース１，４，５，６等の小物収容具における特定の部位が接触されていることであるが、所定条件はこれに限られない。所定条件は、例えば、小物収容具に設けられた加速度センサの検出値が一定以上になることであってもよい。この場合において例えば、ユーザが小物収容具に加速度を加え、加速度センサの検出値が一定以上になった場合に、受信部及び送信部が導通する構成としてもよい。なお、ここでいう受信部は、収容部に収容された小物からの電波又は外部装置からの電波を受信する構成である。また、ここでいう送信部は、受信部により受信された小物からの電波を外部に送信、又は、受信部により受信された外部装置からの電波を収容部に収容された小物に送信する構成である。
【０１０２】
（４）上記第３実施形態では、枠部材５２３を収容具本体１１の表面に設け、枠部材５２３の内部に窪み部５２３ｃを形成するが、窪み部の形成の仕方はこれに限られない。例えば、枠部材５２３を設けることなく、収容具本体１１の表面の一部を凹まして窪み部を形成してもよい。そして、形成された窪み部の内部に２つの接触部５２１，５２２を設置してもよい。また例えば、上記第１実施形態において、１つの接触部１３を窪み部の内部に設置してもよい。
【０１０３】
（５）小物収容具の素材は上記各実施形態の素材に限られず、小物収容具は、例えば、金属製であってもよい。この場合において、小物収容具は、金属製の缶のようなものであってもよい。
【０１０４】
（６）上記各実施形態では、小物収容具として、スマートキー２を収容するキーケース１，４，５，６を例示したが、小物収容具はこれに限られない。小物収容具は、例えば、スマートキー２以外の通信可能な小物を収容する小物収容具であってもよい。
【０１０５】
（７）上記各実施形態において、内部アンテナ１２，６２は、収容具本体１１，６１の外部に露出するように設けられていてもよい。また、外部アンテナ４１，５１は、外部から視認できないように、収容具本体１１の内部に設けられていてもよい。
【０１０６】
（８）上記第４実施形態では、収容部６１１側の第１の留め具６４が凸部６４ｂを備え、開閉部６１２側の第２の留め具６５が凹部６５ｂを備えている。しかし、第１及び第２の留め具の構造はこれに限られない。例えば、収容部６１１側の第１の留め具が凹部を備え、開閉部６１２側の第２の留め具が凸部を備えていてもよい。
【０１０７】
（９）上記第４実施形態では、第１の留め具６４の凸部６４ｂと第２の留め具６５の凹部６５ｂとが嵌合することで、第１の留め具６４と第２の留め具６５とが留められる。しかし、第１及び第２の留め具の留め方はこれに限られない。例えば、第１の留め具及び第２の留め具がマグネットであり、第１の留め具と第２の留め具とが磁力で留められてもよい。また、第１及び第２の留め具はその他の留め方で留められてもよい。
【０１０８】
（１０）上記第４実施形態では、第１の留め具６４と内部アンテナ６２とは直接的に接続されるが、第１の留め具と内部アンテナとの接続の仕方はこれに限られない。例えば、第１の留め具６４と内部アンテナ６２とは導体である他の部材を介するなどして間接的に接続されてもよい。この場合も第１の留め具６４と内部アンテナ６２とは電気的及び／又は電波的に接続される。
【０１０９】
（１１）上記第４実施形態では、収容部６１１は３重構造であり、開閉部６１２は２重構造である。しかし、収容部及び開閉部の構造はこれに限られない。例えば、上記第４実施形態のキーケース６は、第１〜第３実施形態のキーケース１，４，５と同様の層構造を有していてもよい。具体的には、例えば、収容部は、第１層６１１ｃを備えず、第２層６１１ｄと第３層６１１ｅと有する２重構造であってもよい。すなわち、収容部は、電波遮断材から構成される層と、所定の外装材から構成される層と、有する２重構造であってもよい。また例えば、第４実施形態のキーケース６において、開閉部６１２は、収容部６１１と同様の３重構造であってもよい。つまり、開閉部６１２は、電波遮断材から構成される層を備えていてもよい。
【０１１０】
（１２）上記第４実施形態では、絶縁部材６６は第１層６１１ｃ、第２層６１１ｄ及び第３層６１１ｅの第１の貫通孔６１１ｆ側の端部のみに設けられているが、絶縁部材が設けられる部分はこれに限られない。例えば、第４実施形態において絶縁部材を第１層６１１ｃの表面に沿って延在させ、第１層６１１ｃと、第１の留め具６４の裾部６４ａと、の間に位置するように配置してもよい。このような構成によれば、第１層６１１ｃを介して第２層６１１ｄ（電波遮断材により構成される層）と導体の第１の留め具６４とが間接的に接触してショートすることを抑制できる。
【０１１１】
（１３）上記各実施形態における１つの構成要素が有する複数の機能を、複数の構成要素によって実現したり、１つの構成要素が有する１つの機能を、複数の構成要素によって実現したりしてもよい。また、複数の構成要素が有する複数の機能を、１つの構成要素によって実現したり、複数の構成要素によって実現される１つの機能を、１つの構成要素によって実現したりしてもよい。また、上記実施形態の構成の一部を省略してもよい。また、上記実施形態の構成の少なくとも一部を、他の上記実施形態の構成に対して付加又は置換してもよい。なお、特許請求の範囲に記載した文言によって特定される技術思想に含まれるあらゆる態様が本開示の実施形態である。
【符号の説明】
【０１１２】
１，４，５，６…キーケース、２…スマートキー、１１，６１…収容具本体、
１２，６２…内部アンテナ、１３，４２，５２…許容部、４１，５１…外部アンテナ、
６３…留め具、６４…第１の留め具、６４ｂ…凸部、６５…第２の留め具、
６５ｂ…凹部、１１１，６１１…収容部、
１３，４２１，４２２，５２１，５２２…接触部、
６１１ｆ…第１の貫通孔、１１２，６１２…開閉部、６１２ｃ…第２の貫通孔。
【要約】
【課題】小物を小物収容具から取り出さなくても外部装置と小物との通信が可能であり、さらに、前記通信に使用される電波を利用して悪事を働くことを抑制できる小物収容具を提供する。
【解決手段】収容部と開閉部とを備える収容具本体は、電波遮断材を用いて構成される。内部アンテナは、小物収容具において電波遮断材よりも内側に配置される。第１の留め具は、収容部に設けられ、内部アンテナと導通される導体の部品である。第２の留め具は、開閉部を厚み方向に貫通するように設けられ、開閉部を閉じたときに第１の留め具に留められる導体の部品である。開閉部が開口部を閉じた閉状態において内部アンテナ、第１の留め具及び第２の留め具が導通し、閉状態において小物収容具の外側に露出している第２の留め具にユーザが接触することでユーザがアンテナとして機能して外部装置と小物との間の通信が可能になる。
【選択図】図１０【図１】
0006817671.tif 000002
【図２】
0006817671.tif 000003
【図３】
0006817671.tif 000004
【図４】
0006817671.tif 000005
【図５】
0006817671.tif 000006
【図６】
0006817671.tif 000007
【図７】
0006817671.tif 000008
【図８】
0006817671.tif 000009
【図９】
0006817671.tif 000010
【図１０】
0006817671.tif 000011
【図１１】
0006817671.tif 000012
【図１２】
0006817671.tif 000013
【図１３】
0006817671.tif 000014